(57)【特許請求の範囲】
【請求項１】
立体形状をなす樹脂成形体製の部品素材の表面または前記表面上に形成された塗膜に対するレーザ描画工程によって、複数のレーザ加工溝からなるレーザ加工溝群を同一面内に形成することで、ヘアライン模様を付与する加飾部品の製造方法であって、
前記レーザ加工溝群は、曲率半径Ｒ＝１０００ｍｍ以上であって異なる曲率半径値を有する複数種類の円弧状レーザ加工溝からなり、
前記複数種類の円弧状レーザ加工溝は、略同一方向に沿って延びるように配置されるとともに、互いに３°以下の角度で交差して他の部位よりも線幅が大きく見えるオーバーラップ部を不規則的に生じるように配置される
ことを特徴とする加飾部品の製造方法。
【請求項２】
前記複数種類の円弧状レーザ加工溝において、前記オーバーラップ部以外の部位は、線幅が３０μｍ以上２００μｍ以下であって深さが５μｍ以上３５μｍ以下であることを特徴とする請求項1に記載の加飾部品の製造方法。
【請求項３】
前記円弧状レーザ加工溝間には線状の非加工部が存在するとともに、その最大線幅は前記オーバーラップ部の線幅よりも大きいことを特徴とする請求項1または２に記載の加飾部品の製造方法。
【請求項４】
前記レーザ描画工程の前に、黒色の顔料を含有する塗料を用いて前記塗膜を形成する塗膜形成工程を行うことを特徴とする請求項1乃至３のいずれか１項に記載の加飾部品の製造方法。
【請求項５】
前記レーザ描画工程の後に、金属色の顔料を含有するメタル塗料を用いて前記塗膜の表面上に保護塗膜を形成する保護塗膜形成工程を行うことを特徴とする請求項1乃至４のいずれか１項に記載の加飾部品の製造方法。
【請求項６】
前記レーザ描画工程では、前記塗膜における加飾面内に複数のレーザ描画領域を設定するとともに、前記複数のレーザ描画領域を前記ヘアライン模様の流れ方向に沿って隣接配置し、前記複数のレーザ描画領域の継ぎ目において前記円弧状レーザ加工溝の端部同士が連結するようにレーザ照射を行うとともに、前記端部の連結箇所が非直線状に並ぶようにその位置を設定することを特徴とする請求項1乃至５のいずれか１項に記載の加飾部品の製造方法。
【請求項７】
立体形状をなす樹脂成形体製の部品素材の表面または前記表面上に形成された塗膜に対するレーザ描画工程によって、複数のレーザ加工溝からなるレーザ加工溝群を同一面内に形成することで、ヘアライン模様が付与された加飾部品であって、
前記レーザ加工溝群は、曲率半径Ｒ＝１０００ｍｍ以上であって異なる曲率半径値を有する複数種類の円弧状レーザ加工溝からなり、
前記複数種類の円弧状レーザ加工溝は、略同一方向に沿って延びるように配置されるとともに、互いに３°以下の角度で交差して他の部位よりも線幅が大きく見えるオーバーラップ部を不規則的に生じるように配置されている
ことを特徴とする加飾部品。
【請求項８】
前記複数種類の円弧状レーザ加工溝において、前記オーバーラップ部以外の部位は、線幅が３０μｍ以上２００μｍ以下であって深さが５μｍ以上３５μｍ以下であることを特徴とする請求項７に記載の加飾部品。
【請求項９】
前記円弧状レーザ加工溝間には線状の非加工部が存在するとともに、その最大線幅は前記オーバーラップ部の線幅よりも大きいことを特徴とする請求項７または８に記載の加飾部品。
【請求項１０】
前記塗膜は黒色の顔料を含有する塗料を用いて形成されたものであることを特徴とする請求項７乃至９のいずれか１項に記載の加飾部品。
【請求項１１】
前記塗膜の表面上には、金属色の顔料を含有するメタル塗料を用いて保護塗膜が形成されていることを特徴とする請求項７乃至１０のいずれか１項に記載の加飾部品。
【発明の詳細な説明】
【技術分野】
【０００１】
本発明は、立体形状をなす部品素材に対するレーザ描画工程によってヘアライン模様を付与する加飾部品の製造方法、及びヘアライン模様を備えた加飾部品に関するものである。
【背景技術】
【０００２】
従来、自動車の内装部品などでは、デザイン性や品質を高めるために樹脂成形体からなる部品素材の表面に装飾を加えるようにした加飾部品（例えば、コンソールボックス、インストルメントパネル、アームレストなど）が多く実用化されている。また、部品素材の表面に加飾される柄には様々なものがあり、その一例としてヘアライン模様がある。ヘアライン模様とは多数の毛髪状の筋が単一方向に流れる模様のことを指し、一般的にはヘアライン加工機により物理的に傷を付けて微細な溝を形成する加工（ヘアライン加工）により形成される。元来、ヘアライン加工はアルミニウムやステンレスなどの銀光りする金属素材に対して施されるものである。そして、この加工を施すことにより、金属的な質感が強調され、落ち着いた雰囲気の意匠となることが知られている。
【０００３】
ここで、ヘアライン模様を部品素材の表面に付与する加飾方法としては、例えば加飾シートを用いる方法が従来提案されている（例えば、特許文献１を参照）。特許文献１の方法では、サンドペーパーや金属ブラシ等を備えた加工装置を用いて、ヘアライン模様の転写層を有する加飾シートがあらかじめ作製される。そして、その加飾シートを金型に挟み込んで射出成形することにより、表面にヘアライン模様の転写層が転写された樹脂成形体が製造されるようになっている。
【０００４】
このほか、例えば、基材フィルム上に積層されたヘアライン柄印刷層をヘアライン調にエンボス加工してなる加飾シートをあらかじめ作製し、これを用いてヘアライン模様を樹脂成形体の表面に転写する方法が、従来提案されている（例えば、特許文献２を参照）。また、部品素材の表面に形成された塗膜をサンドペーパーや金属ブラシ等で削ってヘアライン模様を形成する方法が、従来提案されている（例えば、特許文献３を参照）。
【０００５】
そして近年では、部品素材の表面上に形成された塗膜に対するレーザ描画工程により、複数のレーザ加工溝からなるレーザ加工溝群を形成することで、塗膜に直接ヘアライン模様を付与する加飾方法も、提案されている（例えば、特許文献４の図１等を参照）。
【先行技術文献】
【特許文献】
【０００６】
【特許文献１】特開２０１０−１９４９９３号公報
【特許文献２】特開２０１０−２３４５６２号公報
【特許文献３】特開２００２−４５７８５号公報
【特許文献４】特開２０１３−２３７０２０号公報
【発明の概要】
【発明が解決しようとする課題】
【０００７】
ところが、ヘアライン模様の形成に際して物理的加工に頼る特許文献１〜３の従来方法では、そもそも微細な溝を加工形成することが難しく、微細で本物の風合いに近いヘアライン模様を付与することが難しい。また、金型を必要とする従来方法に関しては、製品の形状ごとに金型を作製しなければならずコスト高となる。その点、物理的加工に頼らない特許文献４の従来方法によれば、金型では不可能な細かいヘアライン模様をレーザ加工によって描画することが可能である。
【０００８】
しかしながら、微細なレーザ加工溝を単純に直線的かつ平行に多数描画しただけでは、本物の風合いに近いヘアライン模様とはならず、従来のレーザ描画技術にはいまだ改良の余地があった。このため、実際に物理的加工によるもののような自然な風合いを醸し出し、意匠的に高品質なヘアライン加工が容易にかつ確実に得られるレーザ描画技術が従来望まれていた。
【０００９】
本発明は上記の課題に鑑みてなされたものであり、その目的は、立体形状をなす部品素材に対するレーザ描画工程によって、微細でかつ本物の風合いに近いヘアライン模様を容易にかつ確実に付与することができる加飾部品の製造方法を提供することにある。また、本発明の第２の目的は、上記の優れた製造方法により得られ、意匠的に高品質なヘアライン模様を備えた加飾部品を提供することにある。
【課題を解決するための手段】
【００１０】
上記課題に鑑みて本願発明者らが鋭意研究を行ったところ、ヘアライン模様を構成する微細なレーザ加工溝の平面視での線種や配置態様が、ヘアライン模様の品質の良否を決定することを新規に知見した。具体的には、ヘアライン模様を構成する微細なレーザ加工溝として、単純直線ではなく曲率半径の極めて大きい円弧状曲線を用いることがよく、さらには異なる曲率半径値を有する複数種類の円弧状曲線を組み合わせて用いることがよいという知見を得た。また、これら円弧状曲線を略同一方向に沿って配置し、互いに極めて小さい角度で交差させる態様とすることがよいという知見も併せて得た。そこで本願発明者らは、これらの知見に基づいてさらに多くの試行錯誤を繰り返した結果、最終的に以下の手段１〜１１に記載の発明を想到するに至ったのである。
【００１１】
手段１に記載の発明は、立体形状をなす樹脂成形体製の部品素材の表面または前記表面上に形成された塗膜に対するレーザ描画工程によって、複数のレーザ加工溝からなるレーザ加工溝群を同一面内に形成することで、ヘアライン模様を付与する加飾部品の製造方法であって、前記レーザ加工溝群は、曲率半径Ｒ＝１０００ｍｍ以上であって異なる曲率半径値を有する複数種類の円弧状レーザ加工溝からなり、前記複数種類の円弧状レーザ加工溝は、略同一方向に沿って延びるように配置されるとともに、互いに３°以下の角度で交差して他の部位よりも線幅が大きく見えるオーバーラップ部を不規則的に生じるように配置されることを特徴とする加飾部品の製造方法をその要旨とする。従って、手段１に記載の発明によると、レーザ加工溝を単純に直線的かつ平行に多数描画しただけのもの等に比べて、微細でかつ本物の風合いに近いヘアライン模様を容易にかつ確実に付与することができる。
【００１２】
手段２に記載の発明は、前記複数種類の円弧状レーザ加工溝において、前記オーバーラップ部以外の部位は、線幅が３０μｍ以上２００μｍ以下であって深さが５μｍ以上３５μｍ以下であることを特徴とする手段１に記載の加飾部品の製造方法をその要旨とする。即ち、円弧状レーザ加工溝における当該部位をこの程度の線幅及び深さとすることにより、金型では実現不可能なほど微細であって、かつ本物の風合いに近いヘアライン模様とすることができる。
【００１３】
手段３に記載の発明は、前記円弧状レーザ加工溝間には線状の非加工部が存在するとともに、その最大線幅は前記オーバーラップ部の線幅よりも大きいことを特徴とする手段１または２に記載の加飾部品の製造方法をその要旨とする。従って、手段３に記載の発明によると、線状の非加工部の最大線幅とオーバーラップ部の線幅との大小関係をこのように設定することで、よりいっそう本物の風合いに近いヘアライン模様とすることができる。
【００１４】
手段４に記載の発明は、前記レーザ描画工程の前に、黒色の顔料を含有する塗料を用いて前記塗膜を形成する塗膜形成工程を行うことを特徴とする手段１乃至３のいずれか１項に記載の加飾部品の製造方法をその要旨とする。従って、手段４に記載の発明によると、例えば樹脂成形体からなる部品素材の表面にヒケ等があっても黒色塗膜の形成により平滑化されることから、塗膜における平滑な加飾面に対してレーザ描画を行うことができる。そのため、部品素材の表面に直接レーザ描画を行ったときのヘアライン模様と比べて、品質の高いヘアライン模様とすることができる。
【００１５】
手段５に記載の発明は、前記レーザ描画工程の後に、金属色の顔料を含有するメタル塗料を用いて前記塗膜の表面上に保護塗膜を形成する保護塗膜形成工程を行うことを特徴とする手段１乃至４のいずれか１項に記載の加飾部品の製造方法をその要旨とする。従って、手段５に記載の発明によると、例えば樹脂成形体からなる部品素材の表面に金属的な質感を付与することができるとともに、上記の好適なヘアライン模様によって金属的な質感を強調し、高級感を与えることができる。
【００１６】
手段６に記載の発明は、前記レーザ描画工程では、前記塗膜における加飾面内に複数のレーザ描画領域を設定するとともに、前記複数のレーザ描画領域を前記ヘアライン模様の流れ方向に沿って隣接配置し、前記複数のレーザ描画領域の継ぎ目において前記円弧状レーザ加工溝の端部同士が連結するようにレーザ照射を行うとともに、前記端部の連結箇所が非直線状に並ぶようにその位置を設定することを特徴とする手段１乃至５のいずれか１項に記載の加飾部品の製造方法をその要旨とする。従って、手段６に記載の発明によると、例えば円弧状レーザ加工溝の端部の連結箇所が直線状に並んでいる場合とは異なり、端部同士の継ぎ目が目立ちにくくなる。このため、比較的大きな加飾面に対し、長くて自然な風合いのヘアライン模様を付与することができる。
【００１７】
手段７に記載の発明は、立体形状をなす樹脂成形体製の部品素材の表面または前記表面上に形成された塗膜に対するレーザ描画工程によって、複数のレーザ加工溝からなるレーザ加工溝群を同一面内に形成することで、ヘアライン模様が付与された加飾部品であって、前記レーザ加工溝群は、曲率半径Ｒ＝１０００ｍｍ以上であって異なる曲率半径値を有する複数種類の円弧状レーザ加工溝からなり、前記複数種類の円弧状レーザ加工溝は、略同一方向に沿って延びるように配置されるとともに、互いに３°以下の角度で交差して他の部位よりも線幅が大きく見えるオーバーラップ部を不規則的に生じるように配置されていることを特徴とする加飾部品をその要旨とする。従って、手段７に記載の発明によると、ヘアライン模様が微細でかつ本物の風合いに近いものであることから、意匠的に高品質なヘアライン模様を備えた加飾部品を提供することができる。
【００１８】
手段８に記載の発明は、前記複数種類の円弧状レーザ加工溝において、前記オーバーラップ部以外の部位は、線幅が３０μｍ以上２００μｍ以下であって深さが５μｍ以上３５μｍ以下であることを特徴とする手段７に記載の加飾部品をその要旨とする。従って、手段８に記載の発明によると、金型では実現不可能なほど微細であって、かつ本物の風合いに近いヘアライン模様を備えたものとなり、意匠的によりいっそう高品質なものとすることができる。
【００１９】
手段９に記載の発明は、前記円弧状レーザ加工溝間には線状の非加工部が存在するとともに、その最大線幅は前記オーバーラップ部の線幅よりも大きいことを特徴とする手段７または８に記載の加飾部品をその要旨とする。従って、手段９に記載の発明によると、線状の非加工部の最大線幅とオーバーラップ部の線幅との大小関係をこのように設定することで、よりいっそう本物の風合いに近いヘアライン模様とすることができる。
【００２０】
手段１０に記載の発明は、前記塗膜は黒色の顔料を含有する塗料を用いて形成されたものであることを特徴とする手段７乃至９のいずれか１項に記載の加飾部品をその要旨とする。従って、手段１０に記載の発明によると、例えば樹脂成形体からなる部品素材の表面にヒケ等があっても黒色塗膜の形成により平滑化されることから、塗膜における平滑な加飾面に対してレーザ描画を行うことができる。そのため、部品素材の表面に直接レーザ描画を行ったときのヘアライン模様と比べて、品質の高いヘアライン模様とすることができる。
【００２１】
手段１１に記載の発明は、前記塗膜の表面上には、金属色の顔料を含有するメタル塗料を用いて保護塗膜が形成されていることを特徴とする手段７乃至１０のいずれか１項に記載の加飾部品をその要旨とする。従って、手段１１に記載の発明によると、ヘアライン模様によって金属的な質感が強調され、高級感を有するものとすることができる。
【発明の効果】
【００２２】
以上詳述したように、手段１乃至７に記載の発明によると、立体形状をなす部品素材の表面または前記表面上に形成された塗膜に対するレーザ描画工程によって、微細でかつ本物の風合いに近いヘアライン模様を容易にかつ確実に付与することができる加飾部品の製造方法を提供することができる。また、手段８乃至手段１１に記載の発明によると、上記の優れた製造方法により得られ、意匠的に高品質なヘアライン模様を備えた加飾部品を提供することにある。
【図面の簡単な説明】
【００２３】
【図１】本発明を具体化した一実施形態の自動車用内装部品の全体を示す概略斜視図。
【図２】実施形態の自動車用内装部品を示す要部拡大平面図。
【図３】実施形態の自動車用内装部品を示す要部拡大断面図。
【図４】実施形態の自動車用内装部品を示す要部拡大斜視図。
【図５】実施形態の自動車用内装部品の製造時に用いるレーザ加飾装置を示す概略図。
【図６】上記自動車用内装部品の製造方法において、部品素材を示す部分概略断面図。
【図７】同製造方法において、塗膜形成形成工程後の部品素材を示す部分概略断面図。
【図８】同製造方法において、レーザ描画工程時の部品素材を示す部分概略断面図。
【図９】同製造方法において、レーザ描画工程時における複数のレーザ描画領域の継ぎ目の様子を示す説明図。
【図１０】レーザ描画工程にて用いるレーザ加工溝の線種及び配置態様を比較した結果を示す説明図。
【図１１】別の実施形態の自動車用内装部品を示す概略拡大断面図。
【発明を実施するための形態】
【００２４】
以下、本発明を具体化した一実施形態の自動車用内装部品及びその製造方法を図面に基づき詳細に説明する。
図１は加飾部品としての自動車用内装部品１１の概略斜視図、図２はその要部拡大平面図、図３はその要部拡大断面図、図４はその要部拡大斜視図である。図１〜図４に示されるように、この自動車用内装部品１１は、立体形状をなす部品素材１２と、その部品素材１２の表面１３を被覆するように形成された塗膜２１とを有している。本実施の形態の部品素材１２は、平坦な形状の主部１４とそれに連続して配置された一対の側部１５とを備える。主部１４と一対の側部１５とがなす角度は約９０°であることから、この部品素材１２は断面略コ字状を呈している。本実施形態の自動車用内装部品１１は、例えば自動車のドアのアームレストを構成する部品である。この部品素材１２は、ＡＢＳ樹脂を用いて成形された樹脂成形体であり、全体的に黒色に着色されている。
【００２５】
また、部品素材１２の表面１３を覆う塗膜２１は、高光沢黒色（ピアノブラック）の塗料を用いて形成されている。塗膜２１の厚さは１５μｍ〜５０μｍ程度（本実施形態では２５μｍ）に設定されている。この塗膜２１の表面（即ち加飾面）には、多数のレーザ加工溝からなるレーザ加工溝群２３をレーザ描画工程により形成することで、ヘアライン模様２２が描かれている。レーザ加工溝群２３は複数のレーザ加工溝からなり、本実施形態において具体的には２種類のレーザ加工溝２４，２５からなる。これら２種類のレーザ加工溝２４，２５は円弧状であって、その曲率半径Ｒは極めて大きく、互いに異なる曲率半径Ｒの値を有している。この場合、当該曲率半径Ｒは１０００ｍｍ以上に設定され、好ましくは５０００ｍｍ以上に設定され、特に好ましくは７０００ｍｍ以上５００００ｍｍ以下に設定される。曲率半径Ｒの値が小さすぎると、複数のレーザ加工溝をアトランダムに配置したときに交差が多くなり、本物の風合いに近いヘアライン模様２２を実現しにくくなるからである。また、曲率半径Ｒの値が大きすぎると、単純直線状の複数のレーザ加工溝を配置したときと大差がなくなり、やはり本物の風合いに近いヘアライン模様２２を実現しにくくなるからである。
【００２６】
本実施形態のレーザ加工溝群２３は、曲率半径Ｒが約７５００ｍｍである第１の円弧状レーザ加工溝２５と、曲率半径Ｒが約２００００ｍｍである第２の円弧状レーザ加工溝２４との組み合わせにより成り立っている。第１の円弧状レーザ加工溝２５及び第２の円弧状レーザ加工溝２４の存在比率は特に限定されず、例えば１０：１〜１：１０程度に設定され、本実施形態では１：１に設定されている。第１の円弧状レーザ加工溝２５及び第２の円弧状レーザ加工溝２４は、ヘアライン模様２２の流れ方向Ａ１と略同一の方向に沿って延びるように配置されている。また、円弧状レーザ加工溝２４，２５は、互いに極めて小さい角度（具体的には３°以下の角度）で交差するように配置されている。この角度が大きすぎると、流れた感じのヘアライン模様２２とならず本物の風合いに近づけることが難しくなるからである。
【００２７】
図３，図４に示されるように、円弧状レーザ加工溝２４，２５は、上記のように交差して配置される結果、不規則的な位置にオーバーラップ部２６を生じた状態となっている。オーバーラップ部２６は、オーバーラップが生じていない他の部位（非オーバーラップ部２７）よりも幅広に見える。
【００２８】
円弧状レーザ加工溝２４，２５における非オーバーラップ部２７は、線幅Ｗ１が３０μｍ以上２００μｍ以下、深さＤ１が５μｍ以上３５μｍ以下となるように形成される。その理由は、線幅Ｗ１及び深さＤ１を上記範囲内に設定することにより、目的とする好適なヘアライン模様２２を実現しやすくなるからである。線幅Ｗ１は３０μｍ以上１１０μｍ以下が好ましく、５０μｍ以上９０μｍ以下がより好ましい。深さＤ１は６μｍ以上１６μｍ以下が好ましく、１０μｍ以上１６μｍ以下がより好ましい。オーバーラップ部２６の線幅Ｗ２は、例えば非オーバーラップ部２７の線幅Ｗ１の２倍以上５倍以下程度であり、具体的には６０μｍ以上６００μｍ以下程度となるように設定される。
【００２９】
図３，図４に示されるように、円弧状レーザ加工溝２４，２５間には、レーザ加工が施されていない線状の非加工部２８が存在している。その最大線幅Ｗ３はオーバーラップ部２６の線幅Ｗ２よりも大きくなっており、具体的には例えば５００μｍ以上２０００μｍ以下に設定される。線状の非加工部２８の最大線幅Ｗ３が線幅Ｗ２以下であると、円弧状レーザ加工溝２４，２５の密度が高くなり、本物の風合いに近いヘアライン模様２２となりにくくなるからである。
【００３０】
図５には、加飾前の自動車用内装部品１１にヘアライン模様２２を付与する際に用いるレーザ加飾装置４１が示されている。本実施形態のレーザ加飾装置４１は、自動車用内装部品１１を支持する支持台４２と、支持台４２を移動させて自動車用内装部品１１の姿勢等を変更するワーク変位ロボット４３と、自動車用内装部品１１の加飾面にレーザＬ１を照射するレーザ照射装置４４と、ワーク変位ロボット４３及びレーザ照射装置４４を駆動制御する制御装置４５とを備えている。
【００３１】
ワーク変位ロボット４３は、ロボットアーム４６を備え、その先端に支持台４２が支持されている。ワーク変位ロボット４３は、ロボットアーム４６を駆動することで、支持台４２を上下方向、左右方向及び回転方向に移動させ、自動車用内装部品１１の位置や姿勢を変更する。その結果、自動車用内装部品１１の加飾面に対するレーザＬ１の照射位置や照射角度が変更されるようになっている。
【００３２】
レーザ照射装置４４は、所定波長のレーザＬ１（例えば波長が１０６４ｎｍのＹＶＯ４レーザ）を発生させるレーザ発生部５１と、レーザＬ１を偏向させるレーザ偏向部５２と、レーザ発生部５１及びレーザ偏向部５２を制御するレーザ制御部５３とを備えている。レーザ偏向部５２は、レンズ５４と反射ミラー５５とを複合させてなる光学系であり、これらレンズ５４及び反射ミラー５５の位置を変更することにより、レーザＬ１の照射位置や焦点位置を調整するようになっている。レーザ制御部５３は、レーザ発生部５１及びレーザ偏向部５２を制御することで、レーザＬ１の照射強度、レーザＬ１の走査速度などのレーザ照射条件を調整する。
【００３３】
制御装置４５は、ＣＰＵ６１、メモリ６２及び入出力ポート６３等からなる周知のコンピュータにより構成されている。制御装置４５は、ワーク変位ロボット４３及びレーザ照射装置４４に電気的に接続されており、各種の駆動信号によってワーク変位ロボット４３及びレーザ照射装置４４を駆動制御する。
【００３４】
制御装置４５のメモリ６２には、自動車用内装部品１１の加飾面にヘアライン模様２２を描画するためのプログラムやデータが記憶されている。具体的には、自動車用内装部品１１の三次元形状を示す形状データ、自動車用内装部品１１に描画するヘアライン模様２２に応じた柄データなどのデータが記憶されている。また、メモリ６２には、ワーク変位ロボット４３及びレーザ照射装置４４を制御するためのプログラムやデータが記憶されている。
【００３５】
次に、自動車用内装部品１１の製造方法を図６〜図９に基づいて説明する。
【００３６】
まず、ＡＢＳ樹脂を用いて成形された部品素材１２を用意し（図６参照）、その表面１３に塗膜２１を塗布形成したものを準備しておく（図７参照）。ここでは、立体形状をなす部品素材１２（主部１４及び側部１５）の表面１３側の全体が加飾面となる。
【００３７】
続くレーザ描画工程では、まず、部品素材１２をワーク変位ロボット６１のワーク支持部４２（図１参照）にセットする。次に、ＣＰＵ６１は、レーザ照射を行うためのレーザ照射データをメモリ６２から読み出す。そして、ＣＰＵ６１は、レーザ照射データに基づいて駆動信号を生成し、生成した駆動信号をレーザ照射装置４４に出力する。レーザ照射装置４４は、ＣＰＵ６１から出力された駆動信号に基づいてレーザＬ１を照射する。なお、レーザ照射装置４４のレーザ制御部５３は、レーザ発生部５１からレーザＬ１を照射させ、所定の画像データのパターンに応じてレーザ偏向部５２を制御する。この制御によって、レーザＬ１の照射位置及び焦点位置が決定される。以上の制御の結果、所定のレーザ照射がなされ、複数の円弧状レーザ加工溝２４，２５からなるレーザ加工溝群２３が形成され、ヘアライン模様２２が付与される。
【００３８】
レーザ描画工程において、より具体的には、塗膜２１における加飾面内に複数のレーザ描画領域をあらかじめ設定しておく。図９の上段の斜視図では、長方形状をなす２つのレーザ描画領域Ｒ１，Ｒ２をヘアライン模様２２の流れ方向Ａ１に沿って隣接配置した状態が示されている。この斜視図では、レーザ描画領域Ｒ１，Ｒ２以外の箇所の描画はすでに終了している。また、図９の中段及び下段の概略拡大図には、レーザ描画領域Ｒ１，Ｒ２の継ぎ目３１の部分の様子が示されている。そして本実施形態では、第１のレーザ描画領域Ｒ１及び第２のレーザ描画領域Ｒ２の順序で描画を行う。
【００３９】
第１のレーザ描画領域Ｒ１に対する描画では、長方形状をなすレーザ描画領域Ｒ１の長辺方向（即ちヘアライン模様２２の流れ方向Ａ１）に沿ってレーザ照射を行い、円弧状レーザ加工溝２４，２５を形成する。従って、円弧状レーザ加工溝２４，２５の端部Ｔ１はレーザ描画領域Ｒ１の短辺上に位置した状態となる。そして、ヘアライン模様２２の流れ方向Ａ１に直交する方向にレーザ照射位置を少しずつ（例えば数百μｍずつ）ずらしながら、同様にレーザ照射を行うようにする。このとき、円弧状レーザ加工溝２４，２５を形成する方向を上記流れ方向Ａ１を基準として０°〜３°の範囲で適宜傾斜させる。なお、第２のレーザ描画領域Ｒ２に対する描画については、基本的に第１のレーザ描画領域Ｒ１のときと同様のレーザ照射によって行われる。
【００４０】
図９の左列中段は、レーザ描画領域Ｒ１の描画終了時点における継ぎ目３１部分の様子を示した概略拡大図である。この図は、円弧状レーザ加工溝２４，２５の端部Ｔ１が継ぎ目３１にて一直線状に並ぶように設定してレーザ照射を行ったときのものである。図９の左列下段は、レーザ描画領域Ｒ２の描画終了時点における継ぎ目３１部分の概略拡大図である。このときのレーザ照射では、継ぎ目３１にて端部Ｔ１同士が連結し、かつそれらの連結箇所３２が一直線状に並ぶようにその位置が設定されている。ただしこの方法だと、端部Ｔ１同士の継ぎ目３１が少々目立ってしまう。
【００４１】
図９の右列中段は、レーザ描画領域Ｒ１の描画終了時点における継ぎ目３１部分の様子を示す概略拡大図である。この図は、円弧状レーザ加工溝２４，２５の端部Ｔ１が継ぎ目３１にて非直線状に並ぶように設定してレーザ照射を行ったときのものである。本実施形態では端部Ｔ１が継ぎ目３１にてジグザグ状に並ぶようにしている。図９の右列下段は、レーザ描画領域Ｒ２の描画終了時点における継ぎ目３１部分の概略拡大図である。このときのレーザ照射では、継ぎ目３１にて端部Ｔ１同士が連結し、かつそれらの連結箇所３２が非直線状に並ぶようにその位置が設定されている。この方法であると、端部Ｔ１の連結箇所３２が直線状に並んでいる場合とは異なり、端部Ｔ１同士の継ぎ目３１が目立ちにくくなるというメリットがある。
【００４２】
図１０は、レーザ描画工程にて用いるレーザ加工溝の線種や配置態様を変更してヘアライン模様２２の描画を行ったときの比較結果を示す説明図である。
【００４３】
サンプルＡでは、レーザ加工溝の線種を比較的短い単純直線としている。また、流れ方向Ａ１を基準とする傾斜角度が０°〜５°程度となるようにレーザ加工溝を配置している。このようなサンプルＡの場合、粗雑な印象を与えるヘアライン模様２２となり、本物の風合いとはかなり遠いものとなってしまう。
【００４４】
サンプルＢでは、レーザ加工溝の線種を比較的長い単純直線としている。また、流れ方向Ａ１を基準とする傾斜角度が０°となるようにレーザ加工溝を配置している。レーザ加工溝同士は、互いに一定間隔を隔てて平行に配置されている。サンプルＣでも、レーザ加工溝の線種を比較的長い単純直線とし、かつ上記傾斜角度が０°となるようにレーザ加工溝を配置している。レーザ加工溝同士は平行に配置されているが、その間隔は一定ではなく広狭の差がある。このようなサンプルＢ、Ｃの場合、サンプルＡのように粗雑な印象を与えるヘアライン模様２２とはならないが、レーザ加工溝同士の間で交差部分が全く生じないという特徴がある。従って、規則的すぎるヘアライン模様２２となり、本物の風合いとは遠いものとなってしまう。
【００４５】
サンプルＤでは、レーザ加工溝の線種を比較的長い単純直線としているが、上記傾斜角度が０°〜５°となるようにレーザ加工溝を配置している。このようなサンプルＤの場合、レーザ加工溝同士の間で交差部分が生じるが、交差部分から遠ざかるほどレーザ加工溝同士の間隔が広がってしまう。そのため、本物の風合いとは遠いものとなってしまう。
【００４６】
本実施形態のヘアライン模様２２を示すサンプルＥは、レーザ加工溝同士の間で適度に交差部分が生じている。それに加え、レーザ加工溝の配置が規則的すぎることもなく、レーザ加工溝同士の間隔が広がりすぎてしまうこともない。従って、他のサンプルと比較して、微細でかつ本物の風合いに近いヘアライン模様２２となっていることがわかる。
【００４７】
従って、本実施の形態によれば以下の効果を得ることができる。
【００４８】
（１）上述したように、本実施形態の自動車用内装部品１１の製造方法では、ヘアライン模様２２を構成する微細なレーザ加工溝として、単純直線ではなく曲率半径Ｒの極めて大きい円弧状曲線（即ち円弧状レーザ加工溝２４，２５）を用いている。これらの円弧状レーザ加工溝２４，２５は、異なる曲率半径Ｒの値を有するものであって、略同一方向（ヘアライン模様２２の流れ方向Ａ１）に沿って延びるように配置されている。なお、円弧状レーザ加工溝２４，２５同士は、互いに３°以下の角度で交差するように配置されている。このため、非オーバーラップ部２７よりも線幅Ｗ２が大きく見えるオーバーラップ部２６を不規則的に生じている。以上のことから、レーザ加工溝を単純に直線的かつ平行に多数描画しただけのもの等に比べて、微細でかつ本物の風合いに近いヘアライン模様２２を自動車用内装部品１１の加飾面に容易にかつ確実に付与することができる。従って、意匠的に高品質なヘアライン模様２２を備えた自動車用内装部品１１を得ることができる。
【００４９】
（２）本実施形態の製造方法では、２種類の円弧状レーザ加工溝２４，２５における非オーバーラップ部２７の線幅Ｗ１を３０μｍ以上２００μｍ以下、深さＤ１を５μｍ以上３５μｍ以下に設定して、レーザ描画工程を行っている。そしてこの程度の線幅Ｗ１及び深さＤ１に設定することにより、金型では実現不可能なほど微細であって、かつ本物の風合いに近いヘアライン模様２２を確実に実現することができる。
【００５０】
（３）本実施形態の製造方法では、円弧状レーザ加工溝２４，２５間に線状の非加工部２８を設けるとともに、その最大線幅Ｗ３がオーバーラップ部２６の線幅Ｗ２よりも大きくなるように設定して、レーザ描画工程を行っている。そしてこのような大小関係を設定することにより、よりいっそう本物の風合いに近いヘアライン模様２２を実現することが可能となる。
【００５１】
（４）本実施形態の製造方法のレーザ描画工程では、塗膜２１における加飾面内に複数のレーザ描画領域Ｒ１，Ｒ２を設定し、それらをヘアライン模様２２の流れ方向Ａ１に沿って隣接配置している。また、レーザ描画領域Ｒ１，Ｒ２の継ぎ目３１において円弧状レーザ加工溝２４，２５の端部Ｔ１同士が連結するようにレーザ照射を行っている。そしてその際に、端部Ｔ１の連結箇所３２がジグザグ状に並ぶようにその位置を設定している。従って、円弧状レーザ加工溝２４，２５の端部Ｔ１の連結箇所３２が直線状に並んでいる場合とは異なり、端部Ｔ１同士の継ぎ目３１が目立ちにくくなる。このため、比較的大きな加飾面に対し、長くて自然な風合いのヘアライン模様２２を確実に付与することができる。
【００５２】
なお、本発明の実施の形態は以下のように変更してもよい。
【００５３】
・上記実施形態では、ヘアライン模様２２が付与された塗膜２１は最表層にて露出していたが、例えば塗膜２１を覆うような保護塗膜をさらに形成してもよい。図１１に示す別の実施形態の自動車用内装部品１１Ａは、ヘアライン模様２２が付与された塗膜２１上に、保護塗膜としてのメタルコート層３６を備えたものとなっている。このようなメタルコート層３６は、レーザ描画工程の後に、金属色の顔料３７を含有するメタル塗料（例えばアルミフレークを含有するシルバーメタリック塗料等）を塗布することにより形成される。メタルコート層３６の厚さは特に限定されないが、塗膜２１の厚さよりも幾分薄く設定され、具体的には塗膜２１のヘアライン模様２２が不可視とならないように５μｍ〜２０μｍ程度に設定される。従って、保護膜形成工程を行うこの実施形態によると、樹脂成形体からなる部品素材１２の表面１３側に、ヘアライン模様２２によって金属的な質感を付与することができる。また、上記の好適なヘアライン模様２２によって金属的な質感を強調し、高級感を与えることができる。
【００５４】
・上記実施形態では、レーザ加工溝群２３が、曲率半径Ｒ＝１０００ｍｍ以上であって異なる曲率半径Ｒの値を有する２種類の円弧状レーザ加工溝２４，２５からなっていたが、これに限定されない。例えば、異なる曲率半径Ｒの値を有する３種類以上の円弧状レーザ加工溝により、レーザ加工溝群２３を構成してもよい。
【００５５】
・上記実施形態では、黒色の顔料を含有する塗料を用いて塗膜２１を形成したが、黒色以外の色（灰色、茶色など）の塗膜を形成してもよい。
【００５６】
・上記実施形態では、部品素材１２の表面に塗膜２１を形成しその表面を加飾面としてレーザ描画を行ったが、これに限定されない。例えば、塗膜２１の形成を行わず、部品素材１２の表面１３に対して直接レーザ描画を行うことで、ヘアライン模様２２を付与してもよい。
【００５７】
・上記実施形態では、ＡＢＳ樹脂からなる部品素材１２を用いたが、例えばアクリル樹脂、ポリプロピレン樹脂、塩化ビニル樹脂などからなる部品素材１２を用いてもよい。また、部品素材１２は樹脂製に限定されず、例えば金属製であってもよい。
【００５８】
・上記実施形態では、本発明の加飾部品の製造方法を自動車用の内装部品の一種であるドアのアームレストの構成部品の製造方法に具体化したが、これ以外の内装部品、例えばコンソールボックス、インストルメントパネル、センタークラスタ、カップホルダ、グローブボックス、アッパーボックス、アシストグリップなどの構成部品の製造方法に具体化してもよい。勿論、自動車用の内装部品以外に、自動車用の外装部品（ラジエータグリル、エンブレム、マッドガードなど）や、家具や家電などの化粧パネルなどの加飾部品の製造方法に本発明を具体化してもよい。
【符号の説明】
【００５９】
１１…加飾部品としての自動車用内装部品
１２…部品素材
１３…表面
２１…塗膜
２２…ヘアライン模様
２３…レーザ加工溝群
２４，２５…円弧状レーザ加工溝
２６…オーバーラップ部
２８…非加工部
３１…継ぎ目
３２…連結箇所
３６…保護塗膜としてのメタルコート層
Ｄ１…深さ
Ｒ１，Ｒ２…レーザ描画領域
Ｔ１…（円弧状レーザ加工溝の）端部
Ｗ１…（非オーバーラップ部の）線幅
Ｗ２…（オーバーラップ部の）線幅
Ｗ３…非加工部の最大線幅
【図１】
0006349277.tif 000002
【図２】
0006349277.tif 000003
【図３】
0006349277.tif 000004
【図４】
0006349277.tif 000005
【図５】
0006349277.tif 000006
【図６】
0006349277.tif 000007
【図７】
0006349277.tif 000008
【図８】
0006349277.tif 000009
【図９】
0006349277.tif 000010
【図１０】
0006349277.tif 000011
【図１１】
0006349277.tif 000012